(57)【要約】      （修正有）【課題】回生制動装置と油圧制動装置の相互制御を通して運転者の目標制動力を得ることができるハイブリッドおよび電気車両のブレーキシステムとその制御方法を提供する。【解決手段】ハイブリッドおよび電気車両のブレーキシステムにおいて、回生制動力を発生する駆動モータ１５と、ブレーキペダル２１と前記ブレーキペダル２１の踏力を倍加させるブースタ２２およびマスターシリンダー２３と、油圧供給部と、油圧制動調節器３０と、ペダルストロークセンサー４１と、マスターシリンダー２３の油圧を感知する油圧センサー４２とで構成され、運転者の目標制動力を感知する目標制動力感知部と、駆動モータ１５の回転速などに従って最大回生制動トルクを算出して駆動モータ１５を発電させ、算出された最大回生制動トルクを基に目標制動力に合わせて油圧制動トルクが変化されるように油圧制動調節器３０を制御する制御部とにより構成されることを特徴とする。【選択図】図１
2008056228.tif 000002
【特許請求の範囲】
【請求項１】
回生制動力を発生する駆動モータと、
ブレーキペダルと、
前記ブレーキペダルの踏力を倍加させるブースタおよびマスターシリンダーと、
前後輪側の第１油圧ラインと、前記第１油圧ラインに供給されるブレーキ液が貯蔵されたリザーブタンクとからなる油圧供給部と、
前記油圧供給部からホイールシリンダーに供給される油圧制動を増圧または減圧して圧力を調節する油圧制動調節器と、
前記ブレーキペダルのストロークを感知するペダルストロークセンサーと、前記マスターシリンダーの油圧を感知する油圧センサーとで構成され、運転者の目標制動力を感知する目標制動力感知部と、
前記駆動モータの回転速などにより最大回生制動トルクを算出して前記駆動モータを発電させ、前記算出された最大回生制動トルクを基に前記目標制動力に合わせて油圧制動トルクが変化するように前記油圧制動調節器を制御する制御部と
を含むことを特徴とするハイブリッド車両および電気車両のブレーキシステム。
【請求項２】
前記油圧制動調節器は前記リザーブタンクのブレーキ液をポンピングする油圧ポンプを含めて構成され、
前記制御部は前記最大回生制動トルクが減少した場合、前記油圧制動トルクを増加させるために前記油圧ポンプを駆動させて前記ホイールシリンダーにブレーキ液を供給し、前記最大回生制動トルクが増加した場合、前記油圧制動トルクを減少させるために前記油圧ポンプを停止させて前記ホイールシリンダーのブレーキ液を前記リザーブタンクに帰還させることを特徴とする請求項１記載のハイブリッド車両および電気車両のブレーキシステム。
【請求項３】
前記油圧制動調節器は第１電磁弁および第２電磁弁を更に含めて構成され、
前記制御部は前記油圧ポンプが駆動される場合、前記第１電磁弁を開放して前記リザーブタンクと前記ホイールシリンダー間に第２油圧ラインを形成し、前記ホイールシリンダーの油圧を下げようとする場合、前記第２電磁弁を開放して第３油圧ラインを形成することを特徴とする請求項２記載のハイブリッド車両および電気車両のブレーキシステム。
【請求項４】
エンジン非稼動時、前記ブースタに負圧を供給するためのブースタ負圧供給装置を更に含むことを特徴とする請求項１記載のハイブリッド車両および電気車両のブレーキシステム。
【請求項５】
前記ブースタ負圧供給装置は前記ブースタの真空圧を感知する真空圧センサーと、前記真空圧センサーのシグナルを基に前記制御部により制御される真空ポンプを含むことを特徴とする請求項４記載のハイブリッド車両および電気車両のブレーキシステム。
【請求項６】
前記ブースタ負圧供給装置は、連続制動時に前記ブースタ内の負圧が急速に減少することを防止するために所定の容積を有する真空タンクを更に含むことを特徴とする請求項５記載のハイブリッド車両および電気車両のブレーキシステム。
【請求項７】
ペダルストロークセンサーおよび油圧センサーで感知されたシグナルを基にして目標制動トルクを判断する段階と、
前記目標制動トルクを前・後輪側の各ホイールシリンダーに配分する段階と、
駆動モータの回転速、バッテリーの充電状態、車両状態などを基にして回生制動トルクの最大値を演算する段階と、
前記最大回生制動トルクを基にして前記目標制動トルクに合わせて油圧制動トルクを演算する段階と、
前記演算された回生制動トルクおよび油圧制動トルクを発生するために駆動モータおよび油圧制動調節器を各々駆動させる段階と
を含むことを特徴とするハイブリッド車両および電気車両のブレーキシステムの制御方法。
【請求項８】
前記最大回生制動トルクが減少した場合、前記油圧制動トルクを増加させるために前記油圧調節器の油圧ポンプを駆動させ、リザーブタンクから前記ホイールシリンダーにブレーキ液を供給する段階を更に含むことを特徴とする請求項７記載のハイブリッド車両および電気車両のブレーキシステムの制御方法。
【請求項９】
前記最大回生制動トルクが増加した場合、前記油圧制動トルクを減少させるために前記油圧調節器の油圧ポンプを停止させ、前記ホイールシリンダーからリザーブタンクにブレーキ液を帰還させる段階を更に含むことを特徴とする請求項７記載のハイブリッド車両および電気車両のブレーキシステムの制御方法。
【発明の詳細な説明】
【技術分野】
【０００１】
本発明はハイブリッドおよび電気車両のブレーキシステムとその制御方法に係り、より詳しくは、回生制動装置にガソリン／ディーゼル車両などで使用される油圧制動装置を追加し、回生制動装置と油圧制動装置の相互制御を通して運転者の目標制動力を得ることができるハイブリッドおよび電気車両のブレーキシステムとその制御方法に関する。
【背景技術】
【０００２】
ハイブリッドおよび電気車両は内燃機関であるエンジンとバッテリーに貯蔵された電気エネルギーで駆動される駆動モータが同時に装着されて走行する次世代環境車両である。
このようなハイブリッドおよび電気車両において駆動モータを停止させる時（特に、ブレーキペダルを加圧する時）には、駆動モータに印加される電源端子の方向を逆に変えることで回生制動力が発生する。
【０００３】
即ち、ハイブリッドおよび電気車両の走行中に運転者がブレーキペダルを踏むと、駆動モータに供給されていた電源が遮断され、車両の進行慣性力により回転する駆動モータの電源印加端子で逆起電力を再び駆動モータに印加し、進行方向に対して駆動モータが逆方向にトルクが発生するようにすることで、制動力が発生する。このような制動力を“回生制動力”と言う。
従来のハイブリッドおよび電気車両では、一般的な油圧ブレーキ装置を使用しないため、ブースターの代りにペダルシミュレータとブレーキ油圧を生成するアクチュエータで構成された電子・油圧式ブレーキ制動装置（Ｅｌｅｃｔｒｏ−Ｈｙｄｒａｕｌｉｃ  Ｂｒａｋｅ、以下ＥＨＢ装置と称す）を使用してブレーキ油圧を制御するようになっている。
【０００４】
しかし、このようなＥＨＢ装置では、運転者が踏んだブレーキペダルの踏力が各ホイールシリンダーの油圧により伝達されず、電気的作動によりブレーキ油圧が生成されるため電気的誤作動の危険が常に存在し、このような電気的誤作動時には所望する制動力を得ることができないという問題点がある。
また、ＥＨＢ装置を通して基準油圧ブレーキ装置と同一のペダル感を得るためには別途のペダルシミュレータが必要であり、これに対する開発期間および開発費が増加するという問題点がある。
【特許文献１】特開２００７−０２２１０５号公報
【発明の開示】
【発明が解決しようとする課題】
【０００５】
本発明の目的は、回生制動装置にガソリン、ディーゼル車両などで使用される油圧制動装置を追加し、回生制動装置と油圧制動装置の相互制御を通して運転者の目標制動力を得ることができるハイブリッドおよび電気車両のブレーキシステムとその制御方法を提供することである。
【課題を解決するための手段】
【０００６】
前記目的を達成するための本発明は、ハイブリッドおよび電気車両のブレーキシステムにおいて、回生制動力を発生する駆動モータと、ブレーキペダルと前記ブレーキペダルの踏力を倍加させるブースタおよびマスターシリンダーと、前・後輪側の第１油圧ラインと前記第１油圧ラインに供給されるブレーキ液が貯蔵されたリザーブタンクとからなる油圧供給部と、前記油圧供給部でホイールシリンダーに供給される油圧制動を増圧または減圧して圧力を調節する油圧制動調節器と、前記ブレーキペダルのストロークを感知するペダルストロークセンサーと、前記マスターシリンダーの油圧を感知する油圧センサーとで構成され、運転者の目標制動力を感知する目標制動力感知部と、前記駆動モータの回転速などに従って最大回生制動トルクを算出して前記駆動モータを発電させ、前記算出された最大回生制動トルクを基に前記目標制動力に合わせて油圧制動トルクが変化されるように前記油圧制動調節器を制御する制御部とにより構成されることを特徴とする。
【０００７】
前記油圧制動調節器は前記リザーブタンクのブレーキ液をポンピングする油圧ポンプを含めて構成され、前記制御部は前記最大回生制動トルクが減少した場合、前記油圧制動トルクを増加させるために前記油圧ポンプを駆動させて前記ホイールシリンダーにブレーキ液を供給し、前記最大回生制動トルクが増加した場合、前記油圧制動トルクを減少させるために前記油圧ポンプを停止させて前記ホイールシリンダーのブレーキ液を前記リザーブタンクに帰還させることを特徴とする。
【０００８】
前記油圧制動調節器は第１電磁弁および第２電磁弁を更に含めて構成され、前記制御部は前記油圧ポンプが駆動される場合、前記第１電磁弁を開放して前記リザーブタンクと前記ホイールシリンダー間に第２油圧ラインを形成し、前記ホイールシリンダーの油圧を下げようとする場合、前記第２電磁弁を開放して第３油圧ラインを形成することを特徴とする。
【０００９】
エンジン非稼動時、前記ブースタに負圧を供給するためのブースタ負圧供給装置を更に含み、前記ブースタ負圧供給装置は前記ブースタの真空圧を感知する真空圧センサーと、前記真空圧センサーのシグナルを基に前記制御部により制御される真空ポンプと、連続制動時に前記ブースタ内の負圧が急速に減少することを防止するために所定の容積を有する真空タンクを更に含むことを特徴とする。
【００１０】
また、本発明は、ペダルストロークセンサーおよび油圧センサーで感知されたシグナルを基にして目標制動トルクを判断する段階と、前記目標制動トルクを前・後輪側の各ホイールシリンダーに配分する段階と、駆動モータの回転速、バッテリーの充電状態、車両状態などを基にして回生制動トルクの最大値を演算する段階と、前記最大回生制動トルクを基にして前記目標制動トルクに合わせて油圧制動トルクを演算する段階と、前記演算された回生制動トルクおよび油圧制動トルクを発生するために駆動モータおよび油圧制動調節器を各々駆動させる段階とを含むことを特徴とする。
【００１１】
前記最大回生制動トルクが減少した場合、前記油圧制動トルクを増加させるために前記油圧調節器の油圧ポンプを駆動させ、リザーブタンクから前記ホイールシリンダーにブレーキ液を供給する段階を更に含み、前記最大回生制動トルクが増加した場合、前記油圧制動トルクを減少させるために前記油圧調節器の油圧ポンプを停止させ、前記ホイールシリンダーからリザーブタンクにブレーキ液を帰還させる段階を更に含むことを特徴とする。
【発明の効果】
【００１２】
本発明によると、ペダルストロークセンサーおよび油圧センサーから感知されて算出された目標制動力は、駆動モータまたはバッテリーなどの状態に応じて変化する回生制動トルクにより油圧制動トルクを可変的に調節するため、即ち、回生制動装置のエラーなどにより回生制動トルクが円滑に行われなかったり、回生制動トルクが変動（増減）する時、目標制動力に合わせて油圧制動装置の油圧制動トルクで補完が可能であるため、運転者が所望する制動感を得ることができる。
【発明を実施するための最良の形態】
【００１３】
以下、本発明の好ましい実施例を添付図面を参照にして詳しく説明する。
【実施例】
【００１４】
図１は本発明によるハイブリッドおよび電気車両のブレーキシステムを表す概略図である。本発明によるハイブリッドおよび電気車両のブレーキシステムは大きく回生制動力を発生する回生制動装置と、ブレーキペダル２１の踏力によりホイールシリンダー７に供給される油圧を利用して制動力を発生する油圧制動装置と、目標制動力感知部４１，４２のシグナルを基にして回生制動トルクおよび油圧制動トルクが発生するように回生制動装置および油圧制動装置を制御する制御部５０を含めて構成される。
【００１５】
回生制動装置は制御部５０の回生制動制御部５４により制御され、回生制動力を発生させる駆動モータ１５を含めて構成される。この時、駆動モータ１５はバッテリー制御部５５により制御されるバッテリー５６から電気の供給を受けて駆動される。
【００１６】
油圧制動装置はブレーキペダル２１と、ブレーキペダル２１の踏力を倍加させるブースタ２２と、ブースタ２２の倍力により油圧を発生させるマスターシリンダー２３と、マスターシリンダー２３で発生した油圧を前・後輪３，５側に伝達する第１油圧ライン７１（図２参照）と、マスターシリンダー２３の上側に装着されて第１油圧ライン７１に供給されるブレーキ液が貯蔵されたリザーブタンク２５とからなる油圧供給部と、リザーブタンク２５からホイールシリンダー７に供給される油圧制動を増圧または減圧して圧力を調節する油圧制動調節器３０で構成される。
【００１７】
この時、油圧制動の増圧または減圧は、駆動モータ１５の発電量に応じて変化する回生制動トルクに基づいて行われる。即ち、「目標制動トルク＝油圧制動トルク＋回生制動トルク」であり、駆動モータ１５により生成される回生制動トルクが大きい場合は油圧制動トルクを小さくするように油圧制動制御部５２が油圧制動調節器３０を制御して油圧制動圧を減圧させ、回生制動トルクが小さい場合は油圧制動トルクを大きくするように油圧制動制御部５２が油圧制動調節器３０を制御して油圧制動圧を増圧させることで運転者が所望する制動力を具現することができる。
【００１８】
このように、本発明の特徴は、駆動モータ１５の発電量に応じて変化する回生制動トルクに合わせて油圧制動トルクを変化させることで運転者が所望する制動力を具現することができるという点にある。そこで、回生制動力のみで制動され、電気的誤作動時に所望する制動力を得ることができなかった従来のＥＨＢシステムとは異なり、本発明によると電気的誤作動時、油圧制動装置がその制動力を補完するため、運転者が所望する制動力を得ることができるという利点がある。
【００１９】
この時、運転者が所望する制動力を判断するために、ブレーキペダル２１のストロークを感知するペダルストロークセンサー４１と、マスターシリンダー２３の油圧を感知する油圧センサー４２とで構成された目標制動力感知部が設置されている。従って、制御部５０はペダルストロークセンサー４１と油圧センサー４２から感知されたシグナルを基にして運転者が所望する目標制動力を演算して目標制動トルクを算出する。
【００２０】
ここで、油圧制動調節器３０の構成をより詳しく見てみると、図２〜図４に図示されるように、油圧制動調節器３０はリザーブタンク２５のブレーキ液をポンピングするための油圧ポンプ３５と、油圧ポンプ３５の駆動時、ホイールシリンダー７とリザーブタンク２５間の第２油圧ライン７２を開放する第１電磁弁３１と、油圧ポンプ３５の停止時にホイールシリンダー７とリザーブタンク２５間の第３油圧ライン７３を開放する第２電磁弁３２とで構成される。
【００２１】
図２はバッテリー５６の充電が最高であるか、ＣＡＮ通信エラーなどの理由により回生制動力が発生しない場合、油圧制動力のみで制動される場合を図示したものである。このような場合は一般的な油圧ブレーキのみで制動されるものであり、運転者がブレーキペダル２１を踏むと第１油圧ライン７１を通してリザーブタンク２５のブレーキ液がマスターシリンダー２３を経由して開放された第４電磁弁３４および第１電磁弁３１を経て前・後輪３，５側の各ホイールシリンダー７に供給されることで、油圧制動力のみで車両を制動させることができる。
この時、第１電磁弁３１および第４電磁弁３４は電磁弁駆動部５３により開放するように制御され、ホイールシリンダー７からリザーブタンク２５にブレーキ液が帰還する第３油圧ライン７３に設置された第２電磁弁３２および第３電磁弁３３は閉鎖されるように制御される。
【００２２】
図３は回生制動力が減少する場合に油圧制動力が増加する原理を表す構成図であり、駆動モータ１５の回転速、バッテリー５６の充電状態、車両状態に応じて可能最大に回生制動トルクが減少すると、目標制動トルクに合わせて油圧制動トルクを増加させる方向にブレーキシステムが駆動される。この場合、ポンプ駆動部５１は油圧ポンプ３５を駆動させて電磁弁駆動部５３は第２油圧ライン７２上の第１電磁部３１および第３電磁弁３３を開放してリザーブタンク２５のブレーキ液をホイールシリンダー７に流入させて油圧を供給することで油圧制動トルクを増加させる。
【００２３】
この時、電磁弁駆動部５３は第１油圧ライン７１上の第４電磁弁３４を閉鎖状態に維持するが、このようにマスターシリンダー２３側の第１油圧ライン７１を経ずにリザーブタンク２５から直接ホイールシリンダー７に油圧を形成することで、ブレーキペダル２１が消えるのを防止することができる。一方、電磁弁駆動部５３は第３油圧ライン７３上の第２電磁弁３２が閉鎖されるように制御するが、これは第２油圧ライン７２を通してホイールシリンダ７に流入するブレーキ液が第３油圧ライン７３側に分けられず、全てホイールシリンダー７に流入するためホイールシリンダー７側の油圧を迅速に上昇させることができる。
【００２４】
図４は回生制動力が増加する場合の制動力が減少する原理を表す構成図であり、駆動モータ１５の回転速度、バッテリー５６の充電状態、車両状態に応じて可能最大に回生制動トルクが増加すると、目標制動トルクに到達するように油圧制動トルクを減少させる方向にブレーキシステムが駆動される。この場合、ポンプ駆動部５１は油圧ポンプ３５を停止させて電磁弁駆動部５３は第３油圧ライン７３上の第２電磁弁３２および第３電磁弁３３を開放してホイールシリンダー７からリザーブタンク２５にブレーキ液が帰還されることで、ホイールシリンダー７内の油圧を低下させることができる。この時、第１電磁弁３１を閉鎖してマスターシリンダー２３内の油圧が同時に低下することを防止する。
【００２５】
また、ブレーキシステムはブースタ２２に負圧を供給するためのブースタ負圧供給装置６０（図１参照）を更に含むことが好ましい。ブースタ２２はエンジン４５の吸気マニホールドに連結されてエンジン４５の負圧を利用するが、ハイブリッドおよび電気車両の特性上、エンジン４５が作動しない場合はエンジン４５で負圧が生成されないため、負圧供給装置を通してブースタ２２に負圧を生成させることができる。ブースタ負圧供給装置６０はブースタ２２の負圧を測定する真空圧センサー６１と、真空圧センサー６１のシグナルを基にポンプ駆動部５１により制御される真空ポンプ６２で構成される。そこで、真空圧センサー６１で感知されたブースタ２２の負圧が不足すると、ポンプ駆動部５１は真空ポンプ６２を駆動させてブースタ２２内に負圧を供給するため制動が円滑に行われる。
【００２６】
一方、ブースタ負圧供給装置６０は、所定の容積を有する真空タンク６３を更に含め、運転者がブレーキペダル２１を連続的に踏む場合、ブースタ２２内の負圧が急速に減少することを防止し、ブースタ２２に安定的に負圧を供給することが好ましい。
上記の通り、ペダルストロークセンサー４１および油圧センサー４２から感知されて算出された目標制動力は、駆動モータ１５またはバッテリー５６などの状態に応じて変化する回生制動トルクによって油圧制動トルクを可変的に調節するため、回生制動装置のエラーなどにより回生制動トルクが円滑に行われなくても油圧制動装置の油圧制動トルクの補完が可能であり、運転者が所望する制動感を得ることができる。
【００２７】
以下、本発明によるハイブリッドおよび電気車両のブレーキシステムの制御方法を図５を参照にして説明する。
まず、ペダルストロークセンサー４１で感知されたシグナルを基にして運転者が所望する目標制動トルクを算出し（Ｓ１）、算出された目標制動トルクを前・後輪３，５側のホイールシリンダー７に各々配分する（Ｓ２）。
その後、駆動モータ１５の回転速、バッテリー５６の充電状態、車両状態などを基にして可能最大な回生制動トルクを演算し（Ｓ３）、最大回生制動トルクを基に目標制動トルクに合せることのできる油圧制動トルクを演算する（Ｓ４）。
【００２８】
最後に、駆動モータ１５および油圧制動調節器３０を各々駆動させて演算された回生制動トルクおよび油圧制動トルクを前・後輪３，５に発生させることで、運転者が所望する制動感を得ることができる（Ｓ５）。ここで、回生制動トルクを決定付けるいくつかの因子の変化により回生制動トルクの最大値が減少した場合は油圧制動トルクを増加させなければならないが、この時、ポンプ駆動部５１はブレーキ液が図３のようにリザーブタンク２５からホイールシリンダー７に第２油圧ライン７２に沿って流入するように油圧ポンプ３５を駆動させて油圧を増大させる。一方、回生制動トルクの最大値が増加した場合は、油圧制動トルクを減少させて目標トルクに合せなければならないが、この時、ポンプ駆動部５１はブレーキ液が図４のようにホイールシリンダー７からリザーブタンク２５に第３油圧ライン７３に沿って帰還するように油圧ポンプ３５を停止させて油圧を減少させる。
【図面の簡単な説明】
【００２９】
【図１】本発明によるハイブリッドおよび電気車両のブレーキシステムを表す概略図である。
【図２】図１のブレーキシステムにおいて回生制動力が発生しない場合、油圧制動力のみで制動される原理を表す構成図である。
【図３】図１のブレーキシステムにおいて回生制動力が減少する場合、油圧制動力が増加する原理を表す構成図である。
【図４】図１のブレーキシステムにおいて回生制動力が増加する場合、油圧制動力が減少する原理を表す構成図である。
【図５】本発明によるブレーキシステムの制御フロー図である。
【符号の説明】
【００３０】
７  ホイールシリンダー            
１５  駆動モータ
２１  ブレーキペダル              
２２  ブースタ
２３  マスターシリンダー          
２５  リザーブタンク
３０  油圧制動調節器              
３１，３２，３３，３４  電磁弁
３５  油圧ポンプ                  
５０  制御部
６０  ブースタ負圧供給装置        
７１  第１油圧ライン
７２  第２油圧ライン              
７３  第３油圧ライン
【図１】
2008056228.tif 000003
【図２】
2008056228.tif 000004
【図３】
2008056228.tif 000005
【図４】
2008056228.tif 000006
【図５】
2008056228.tif 000007